(57)【要約】【課題】補正作業が簡単で、精度の高い全周マルチカメラシステムの調整装置を提供する。【解決手段】全周マルチカメラシステム１０８のカメラ部１０３からスクリーン面が等距離となるように、半球面スクリーン１０２がカメラを蔽うように配置する。半球面スクリーン１０２の頂点から真下に向けて魚眼レンズ１０１を備えたプロジェクタ１００を用いて位置情報（または色特性情報）の計測用パターンをスクリーン１０２に投影し、各カメラ１０３で同時に撮影する。たとえば、この撮影した画像データを、予め調整制御装置１０９に設定してある、カメラの理想視点におけるシミュレーションデータと比較し、位置補正データを得る。画像処理装置１０５は位置補正データを設定されると、カメラ間の位置ずれが補正されるので、各カメラの同時撮影による連続した全周画像が得られる。【選択図】  図１
2005027154.tif 000002
【特許請求の範囲】
【請求項１】
１つの視点から周囲を撮影するように組み合わされた複数のカメラと、前記複数のカメラが撮影した周囲の画像を連続した１つの映像として出力する画像処理装置と、前記映像を表示または記憶する出力装置と、を備えるマルチカメラシステムにおけるカメラ間のずれを調整する装置において、
前記複数のカメラの前記周囲を蔽うように配置した所定形状のスクリーンと、前記スクリーンの真上部または頂点部から前記スクリーンの内側に投影するように配置した魚眼レンズを備えるプロジェクタと、前記マルチカメラシステムのずれ調整に必要なパターン映像を前記プロジェクタに出力する調整制御装置を設けることを特徴とするマルチカメラシステム調整装置。
【請求項２】
請求項１において、
前記調整制御装置は、前記スクリーンの所定形状に合わせ、予め設定されている理想視点による前記パターン映像に対応するシミュレーション画像データと、前記スクリーンに投影されるパターン映像を撮影したカメラ撮像データとの幾何的関係から補正データを取得することを特徴とするマルチカメラシステム調整装置。
【請求項３】
請求項１において、
前記調整制御装置は、色特性情報計測用画像データを前記パターン映像として前記スクリーンに投影し、前記パターン映像を撮影したカメラ撮像データと予め設定されている目標特性関数に基づいて色特性補正データを取得することを特徴とするマルチカメラシステム調整装置。
【請求項４】
請求項１において、
前記スクリーンの所定形状は、半球状、円筒または円錐型であるマルチカメラシステム調整装置。
【請求項５】
１つの視点から最大３６０度の周囲を撮影するように組み合わされた複数のカメラと、前記複数のカメラが撮影した周囲の画像を連続した１つの映像として出力する画像処理装置と、前記映像を表示または記憶する出力装置と、を備えるマルチカメラシステムにおけるカメラ間のずれを調整する装置において、
前記複数のカメラの前記周囲を蔽うように配置した半球状のスクリーンと、前記スクリーンの頂点部から前記スクリーンの内側に投影するように配置した魚眼レンズを備えるプロジェクタと、前記マルチカメラシステムのずれ調整に必要なパターン映像を前記プロジェクタを介して前記スクリーンに投影し、そのパターン映像を撮影したカメラ撮像データの歪みを補正する補正データを取得する調整制御装置と、を設けることを特徴とするマルチカメラシステム調整装置。
【請求項６】
１つの視点から周囲を撮影するように組み合わされた複数のカメラと、前記複数のカメラが撮影した周囲の画像を連続した１つの映像として出力する画像処理装置と、前記映像を表示または記憶する出力装置と、を備えるマルチカメラシステムにおいて、
請求項２または５に記載されているマルチカメラシステム調整装置によって得られる補正データを前記画像処理装置に設定したことを特徴とするマルチカメラシステム。
【発明の詳細な説明】
【０００１】
【発明の属する技術分野】
本発明は全周マルチカメラシステムにおける各カメラ間のずれ調整に関する。
【０００２】
【従来の技術】
全周マルチカメラシステムとは、或る点を視点とし、視点の周りに複数台のカメラを放射状に配置し、視点からの水平方向３６０度までを同時に撮影するもので、複数台のカメラで撮影した映像を繋ぐことにより、水平方向３６０度までの連続した全周映像を生成するカメラシステムである。
【０００３】
全周マルチカメラシステムは、カメラの設置条件や設置誤差により、各カメラのレンズ中心と視点とが不一致になるため、補正無しに複数台のカメラで撮影した映像を幾何的に正しく繋ぐことができない。色についても各カメラ間に撮影時の色特性差があり、補正無しに複数台のカメラで撮影した映像の色を合せることができない。従って、全周マルチカメラシステムでは、各カメラの位置情報と色特性情報を計測し、それに基づいた補正を実施し、連続した全周映像を生成している。
【０００４】
各カメラの位置情報と色特性情報の計測方法として、次のようなものが知られている。第１の方法は、全周マルチカメラシステムの視点を中心とし、すべてのカメラの撮影範囲を覆う円筒形の壁を作成し、その内面にカメラの位置情報を取得できるような格子状のパターンを描く。この格子パターンを各カメラで撮影し、撮影した画像を解析することにより、各カメラが撮影している範囲の位置情報を計測する。また、規定の色パターンを描き、各カメラで撮影し、撮影画像を解析することで各カメラの撮影時の色特性情報を計測する。
【０００５】
第２の方法は、カメラ１台での撮影範囲を覆う平面スクリーンにカメラの位置情報を取得できるような格子状のパターンをプロジェクタ等で表示し、全周マルチカメラシステムを回転させ、カメラ１台ずつ格子パターンを撮影する。全周マルチカメラシステムの回転角と撮影した画像を解析し、各カメラが撮影している範囲の位置情報を計測する。また、位置情報計測時の表示パターンを規定の色パターンに変更することで、各カメラの撮影時の色特性情報を計測する。
【０００６】
第３の方法は、特許文献１に記載の方法による。この方法は全方位画像表示の歪補正に関するが、四角錘の反射板から複数のカメラに共通の視野を映像に取り込むように構成されたカメラシステムを持つもので、カメラシステムの調整には上記に挙げたカメラシステムを回転させる必要がある。
【０００７】
【特許文献１】
特開２０００−８９３９５号公報（段落００１２−００１３、図２）
【０００８】
【発明が解決しようとする課題】
上記第１の方法では、複数枚のパターンの変更に時間が掛かり、パターン変更時に誤差が発生し易いという問題がある。
【０００９】
上記第２の方法では、カメラで撮影するパターンをプロジェクタ等で投影するため、パターン変更時に時間が掛かったり、誤差が発生したりしない。しかし、全周マルチカメラシステムを回転させ、カメラ１台毎に撮影をするため時間が掛かり、全周マルチカメラシステムの回転角の精度により誤差が発生し易い。また、装置自体も高価なものになる。
【００１０】
上記第３の方法では、カメラシステムの構成が複雑、大規模で、高価なものとなる。また、この調整方法は、上記に挙げたカメラシステムを回転させることが必要で、調整に時間が掛かり、回転角の精度にも問題がある。
【００１１】
本発明の目的は、上記従来方式の問題点に鑑み、撮影パターンの変更が不要で、カメラ１台毎の回転による計測時間を大幅に短縮でき、計測誤差を軽減できるマルチカメラシステム調整装置を提供することにある。また、シンプルで小規模な計測設備のマルチカメラシステム調整装置を提供することにある。さらに、前記マルチカメラシステム調整装置で得られた補正データを格納するマルチカメラシステムを提供することにある。
【００１２】
これにより、高解像度化が進むカメラに対しても計測誤差の影響を排除でき、高解像度のマルチカメラシステムの短時間調整が可能となる。また、従来は大規模な専用の計測設備にマルチカメラシステムを設置して実施していた調整作業を、マルチカメラシステムが使用される場所で簡単に調整できるようにした。
【００１３】
【課題を解決するための手段】
上記目的を達成する本発明は、１つの視点から周囲を撮影するように組み合わされた複数のカメラと、前記複数のカメラが撮影した周囲の画像を連続した１つの映像として出力する画像処理装置と、前記映像を表示または記憶する出力装置と、を備えるマルチカメラシステムにおけるカメラ間のずれを調整する装置において、前記複数のカメラの前記周囲を蔽うように配置した所定形状のスクリーンと、前記スクリーンの真上部または頂点部から前記スクリーンの内側に投影するように配置した魚眼レンズを備えるプロジェクタと、前記マルチカメラシステムのずれ調整に必要なパターン映像を前記プロジェクタに出力する調整制御装置を設けることを特徴とする。前記スクリーンの所定形状は、半球状、円筒または円錐型である。半球状とは半球面のみならず、１８０度未満や１８０度以上の場合でも、カメラの撮影範囲を蔽えればよい。
【００１４】
前記調整制御装置は、前記スクリーンの所定形状に合わせ、予め設定されている理想視点による前記パターン映像に対応するシミュレーション画像データと、前記スクリーンに投影されるパターン映像を撮影したカメラ撮像データとの幾何的関係から補正データを取得することを特徴とする。
【００１５】
また、前記調整制御装置は、色特性情報計測用画像データを前記パターン映像として前記スクリーンに投影し、前記パターン映像を撮影したカメラ撮像データと予め設定されている目標特性関数に基づいて色特性補正データを取得することを特徴とする。
【００１６】
上記目的を達成する本発明のマルチカメラシステムは、前記マルチカメラシステム調整装置によって得られる補正データを前記画像処理装置に設定したことを特徴とする。
【００１７】
本発明によれば、前記マルチカメラシステムと前記調整装置の設置を固定した後、お互いの位置及び関係を物理的に固定した状態で調整ができる。魚眼レンズを備えたプロジェクタを介して、半球状のスクリーンにずれ調整用のパターン映像を投影した場合、緯度、経度等の位置情報が正しく表示されるように幾何的補正がなされる。この補正データは画像処理装置に設定されるので、補正後のマルチカメラシステムは複数のカメラが同時に撮影した映像を画像処理装置によって歪のない連続した１つの映像として出力する。
【００１８】
本発明によれば、パターン映像の変更は瞬時に行なえる。また、従来のように、マルチカメラシステムを回転し、カメラ１台毎にパターン映像を撮影する作業が必要なく、全てのカメラで同時にパターン映像を撮影できるので、計測時間が短くなる。
【００１９】
【発明の実施の形態】
以下、本発明の実施形態について図面を参照して説明する。図１は本発明の一実施例による全周マルチカメラシステム調整装置の基本構成を示している。全周マルチカメラシステム１０８は、水平方向３６０度を同時に撮影するようにある点を視点として、視点の周りに複数台のカメラを放射状に配置したマルチカメラ部１０３と、その映像を設定されたデータに従い補正する画像処理装置１０５で構成されている。マルチカメラ部１０３と画像処理装置１０５との間は映像ケーブル１０４で接続されている。
【００２０】
画像処理装置１０５は制御線１１０を介して外部からの制御により、幾何補正と色補正のための設定を変更したり、入力された映像を画像データとして転送したりする。調整された全周マルチカメラシステム１０８では、マルチカメラ部１０３で撮影された映像は画像処理装置１０５に送られ、水平方向３６０度の連続した１つの映像となるように補正され、映像ケーブル１０６に出力され表示装置１０７により表示される。なお、出力装置は表示装置１０７によらず、映像を記録する記憶装置であってもよい。
【００２１】
さらに、マルチカメラ部１０３で撮影される範囲を覆うように配置した半球面スクリーン１０２と、半球面スクリーン１０２の頂点位置に配置しマルチカメラ部１０３に向けて垂直に投影するプロジェクタ１００を有している。上述したように、半球面スクリーン１０２は正確に半球である必要はなく、カメラ撮影範囲を覆えればよい。
【００２２】
また、プロジェクタ１００へ映像ケーブル１１１を介して補正のための表示映像を送り、制御線１１０を介して画像処理装置１０５を制御する調整制御装置１０９を有し、プロジェクタ１００には魚眼レンズ１０１が設けられている。魚眼レンズ１０１は半球面スクリーン１０２の内側ほぼ全体に補正のための映像を投影する。
【００２３】
図２は調整制御装置の構成を示すブロック図である。調整制御装置１０９は、制御線１１０を介して画像処理装置１０５と通信する通信制御部２００、調整制御装置１０９を統括するＣＰＵ及びメモリ部２０１、画像データに対して指定された画像処理を行いプロジェクタ１００に送る映像信号を生成する画像処理及び画像表示部２０２を有している。さらに、各種データを蓄えるストレージ部２０４を有し、各処理部とストレージ部はバス２０３で接続されている。
【００２４】
ストレージ部２０４には、後述する一連の処理で共通的に使用する計測表示用座標変換補正データ２０５が記憶されている。また、位置情報の補正に使用するデータとして、理想視点カメラ撮影シミュレーションデータ２０６、位置情報計測用画像データ（位置情報パターン）２０７、位置情報計測用画像カメラ撮影データ２０８、位置補正データ２０９がそれぞれ記憶されている。
【００２５】
さらに、色特性情報の補正に使用するデータとして、色特性情報計測用画像カメラ撮影データ２１０、色特性情報計測用画像データ（色情報パターン）２１１、色特性補正データ２１２がそれぞれ記憶されている。各データの詳細については後述する。
【００２６】
図３は画像処理装置に設定する位置補正データを生成する処理フローを示している。この処理は調整制御装置１０９で実施され、マルチカメラ部１０３の各カメラの位置情報を計測し、画像処理装置１０５に設定する位置補正データ２０９を生成する。生成後、位置補正データ２０９は画像処理装置１０５に設定され、複数のカメラから同時に撮影された周囲映像は、歪のない連続する１つの映像として画像処理装置１０５から、表示装置１０７に出力される。
【００２７】
処理フローについて順に説明する。画像処理及び画像表示部２０２の初期化処理３０１は、画像処理部及び画像表示部２０２を初期化し、映像ケーブル１１１を介して魚眼レンズ１０１を備えたプロジェクタ１００から映像が投影できる状態にする。
【００２８】
画像処理及び画像表示部２０２に入力される画像データは平面画像である。このため、画像処理及び画像表示部２０２が画像処理なしに画像データを映像出力した場合、魚眼レンズ１０１を介して半球面スクリーン１０２へ投影する映像は歪んだものとなる。
【００２９】
そこで、初期化処理３０１ではこの歪みを補正するため、予め算出しストレージ部２０４に保存しておいた計測表示用座標変換補正データ２０５を、画像処理及び画像表示部２０２に設定して初期化処理３０１を終了する。
【００３０】
図５を用いて、計測表示用座標変換補正データについて説明する。計測表示用座標変換補正データ２０５は、平面の画像データ座標を半球面のスクリーン座標へ変換するためのデータで、次のような関係に基づき導出される。
【００３１】
画像データ上での座標群５２０は、画像処理及び画像表示部２０２に入力される画像データ上の座標群を示したものである。スクリーン上での座標群５２２は、プロジェクタ１００から魚眼レンズ１０１を介して投影されたスクリーン上の座標群を示したものである。そして、写像５２１は、画像データ上での座標群５２０からスクリーン上での座標群５２２への写像関係を表している。したがって、画像データ上の任意座標をＤ（ｒ，θ）、半径Ｒのスクリーン上の任意座標をＳ（φ’，θ’）、写像５２１をＭ１とした場合、Ｍ１は下記の（１）−（３）式により表わされる。なお、魚眼レンズ１０１には等距離魚眼レンズを用いている。
Ｍ１：Ｄ（ｒ，θ）→Ｓ（φ’，θ’），      …（１）
Ｍ１：θ’＝θ−π，                  …（２）
Ｍ１：φ’＝α×（２／ｆ）ラｒ，        …（３）
ここで、ｒは画像データ上の原点Ｏ５０１を中心とした円の半径、θは回転角を示している。φ’は半径Ｒの半球面スクリーン１０２の球の中心を通る垂直線からの回転角、θ’は水平方向の回転角を表し、Ｄ（ｒ，θ）、Ｓ（φ’，θ’）はいずれも任意の点を極座標形式で表現したものである。αは乗数で、ｆはレンズの焦点距離である。
【００３２】
従って、画像データ上の座標Ｄ（ｒ，θ）は（１）式からスクリーン上の座標Ｓ（φ’，θ’）に変換され、このときのθ’、φ’は（２）式、（３）式より決定できる。
【００３３】
例えば、Ｍ１写像５２１より次のような投影がなされる。画像データ上の座標Ａ５０２はスクリーン上の座標Ａ’５１２への投影、画像データ上の座標Ｂ５０３はスクリーン上の座標Ｂ’５１３への投影、画像データ上の座標Ｃ５０４はスクリーン上の座標Ｃ’５１４への投影、画像データ上の座標Ｄ５０５はスクリーン上の座標Ｄ’５１５へ投影である。画像データ上の座標Ａ１５０６はスクリーン上の座標Ａ１’５１６への投影、画像データ上の座標Ｂ１５０７はスクリーン上の座標Ｂ１’５１７への投影、画像データ上の座標Ｃ１５０８はスクリーン上の座標Ｃ１’５１８への投影、画像データ上の座標Ｄ１５０９はスクリーン上の座標Ｄ１’５１９への投影である。
【００３４】
位置情報計測用画像の表示処理３０２は、予め作成しストレージ部２０４に保存しておいた位置情報計測用画像データ（位置情報パターン）２０７を画像処理及び画像表示部２０２へ入力し、プロジェクタ１００から投影する処理である。
【００３５】
図６は位置情報計測用画像データの一例を示している。画像データ６００は位置情報計測用画像データ（位置情報パターン）２０７の一例を示している。画像データ６００には、画像の中心から放射状の市松模様が描かれており半球面スクリーン１０２に投影された時の緯度経度と対応している。また、格子には対応する緯度経度を表す記号が描かれている。
【００３６】
マルチカメラシステム１０８の全カメラ１０３での撮影処理３０３は、制御線１１０を介して画像処理装置１０５へ各カメラの入力映像を画像データとして取込む指示を送り、ストレージ部２０４へ位置情報計測用画像カメラ撮影データ２０８として保存する。保存された画像データは、カメラの台数分だけ存在する。
【００３７】
最後に、カメラ座標を理想視点座標へ変換する補正データの算出処理３０４について説明する。この算出処理は、予め生成しストレージ部２０４に保存している理想視点カメラ撮影シミュレーションデータ２０６と、位置情報計測用画像カメラ撮影データ２０８から、位置補正データ２０９を生成する。
【００３８】
図７に理想視点カメラ撮影シミュレーションデータ２０６の説明図を示す。図７（ａ）に示す配置図は、理想視点８０３に全カメラのレンズ中心を仮想的に配置した場合の全周マルチカメラシステム１０８を真上から見た図である。理想視点８０３は、放射状に並べられたマルチカメラ部１０３の中心点で、算出処理３０４は各カメラで撮影した映像を理想視点８０３から見て連続した全周映像とするような位置補正データ２０９を算出する。領域８００〜８０２は、仮想的にレンズ中心を理想視点８０３上に配置した場合の各カメラの撮影領域である。
【００３９】
理想視点カメラ撮影シミュレーションデータ２０６は、図７（ｂ）に示す画像データ８１０である。位置情報計測用画像データ（位置情報パターン）２０７をプロジェクタ１００を介して半球面スクリーン１０２上へ投影した映像を、領域８００を撮影する理想視点上にレンズ中心を置く仮想的なカメラで撮影した状況をシミュレーションすることにより生成したものである。記号８１１は緯度情報、記号８１２は経度情報を示す。
【００４０】
一方、図８は各カメラで撮影した位置情報計測用画像カメラ撮影データ２０８の説明図を示す。図８（ａ）の配置図は全周マルチカメラシステム１０８を真上から見た説明図である。点９０１は或るカメラの実際のレンズ中心であり、理想視点８０３からずれている。従って、点９０１をレンズ中心とする実際のカメラが撮影する領域９００は、図７（ａ）の領域８００からずれている。
【００４１】
この位置情報計測用画像カメラ撮影データ２０８を表したものが、図８（ｂ）に示す画像データ９１０である。記号９１１は緯度情報、記号９１２は経度情報を示す。図７（ｂ）の理想視点カメラ撮影シミュレーションデータ２０６に比べて、図８（ｂ）の位置情報計測用画像カメラ撮影データ２０８には位置ずれが生じている。
【００４２】
補正データの算出処理３０４では、理想視点カメラ撮影シミュレーションデータ２０６（画像データ８１０）と位置情報計測用画像カメラ撮影データ２０８（画像データ９１０）に対して、緯度経度の座標点を抽出する画像処理を施す。そして、２つの画像データ間での緯度、経度座標点の移動ベクトルを算出し、これにより位置補正データ２０９を生成する。
【００４３】
図９は位置補正データを説明している。同図（ａ）のベクトル群１０００は補正データ２０９を示したもので、ある点の補正前の座標（Ｘ＿Ｓｎ，Ｙ＿Ｓｎ）１００１から補正後の座標（Ｘ＿Ｄｎ，Ｙ＿Ｄｎ）１００２へのベクトルを示している。同図（ｂ）は、ベクトル群１０００のデータフォーマット１０１０を示したものである。
【００４４】
次に、調整制御装置１０９が行う色補正について説明する。調整制御装置１０９はマルチカメラ部１０３の各カメラの色特性情報を計測し、色特性補正データを算出して画像処理装置１０５に設定する。以下、処理手順を説明する。
【００４５】
図４は色特性補正データを生成する処理フロー図である。画像処理及び画像表示部の初期化処理４０１は、画像処理部及び画像表示部２０２を初期化し、映像ケーブル１１１を介して魚眼レンズ１０１を備えたプロジェクタ１００から映像が投影できる状態にする。初期化処理４０１は、各カメラの色特性情報を計測するための初期化である。計測の目的が各カメラの色特性情報であるため、画像処理部及び画像表示部２０２へは、入力された映像に対して位置補正することなく出力するよう設定する。
【００４６】
次に、色特性情報計測用画像の表示処理４０２とマルチカメラシステム１０８の全カメラ１０３での撮影処理４０３について説明する。
【００４７】
各カメラの色特性情報の計測は、色の３原色である赤（Ｒ）、緑（Ｇ）、青（Ｂ）の各色毎に、複数の輝度レベルの色特性情報計測用画像（色情報パターン）２１１を半球面スクリーン１０２に表示して行われる。撮影は各レベル毎に繰り返し、ストレージ部２０４に色特性情報計測用画像カメラ撮影データ２１０として保存する。
【００４８】
図１０を用いて、色特性情報計測用画像データを説明する。色特性情報計測用画像データ２１１は色情報パターンとして調整制御装置１０９からスクリーン１０２に投影され、カメラ撮影データ２１０として取得される。色の３原色である赤（Ｒ）、緑（Ｇ）、青（Ｂ）の各原色毎に各輝度レベル毎に存在する。同図（ａ）に示す２５５レベル画像７００、Ｉレベル画像７０１、０レベル画像７０２は、或る１原色についての複数の輝度レベルの画像データを示している。同図（ｂ）に示すグラフ７０３は、各画像データと輝度レベルの関係を示している。
【００４９】
各カメラの色特性情報算出処理４０４は、色特性情報計測用画像カメラ撮影データ２１０から撮影後の各輝度レベルを抽出し、各原色ごとに特性関数を算出する。図１１のグラフ１１００は或る１台のカメラについての色特性を示したグラフである。輝度特性関数１１０１は赤（Ｒ）、輝度特性関数１１０２は緑（Ｇ）、輝度特性関数１１０３は青（Ｂ）を表している。
【００５０】
各カメラに対する色特性補正データ２１２の算出処理４０５は、各原色毎に全てのカメラの特性関数から全周マルチカメラシステム１０８として目標とする特性関数を決定し、目標とする特性関数から乖離した部分を補正データとして生成する。そして、ストレージ部２０４の各カメラに対する色特性補正データ２１２として保存する。
【００５１】
図１２は色特性関数を示している。グラフ１２０２は目標とする色特性関数、１２０１は或る１台のカメラの色特性関数を示したもので、データ１２０３はその間の補正値を示し、色特性補正データ２１２として保存される。
【００５２】
以上のように、本実施形態による全周マルチカメラシステムの調整装置によれば、図３に示した処理により位置補正データ２０９を生成できる。この補正データを画像処理装置１０５に設定することで、マルチカメラ部１０３で撮影された水平方向３６０度の映像が連続した映像として、画像処理装置１０５から出力可能になる。また、図４に示した処理による色特性補正データ２１２を画像処理装置１０５に設定することで、カメラ間で色ずれのない連続した全周映像を得ることができる。
【００５３】
この調整装置は、図６または図１０のような計測パターンをプロジェクタと半球面スクリーンを介して撮影するためパターン変更も容易である。また、マルチカメラ部１０３を回転させる必要がないので、回転による誤差の発生もない。さらに、調整装置は構造がシンプルで、特許文献１に記載の反射体のように補正後の撮影にも必要なものではないので、使い勝手が良い。
【００５４】
以上、本発明の実施形態を説明したが、本発明は上記の実施形態に限定されるものではなく、その趣旨を逸脱しない範囲内においてさまざまに変形して実施可能である。その実施例として図１３、図１４を参照して説明する。
【００５５】
図１３は本発明の他の実施形態に係わる全周マルチカメラ調整装置の概略図である。図１の半球面スクリーン１０２に代えて円筒スクリーン１３０１を適用している。
【００５６】
魚眼レンズ１０１を備えたプロジェクタ１００は、円筒スクリーン１３０１の真上の円中心に配置され、ずれ調整に必要なパターン映像は円筒スクリーン１３０１の内側のほぼ全面に表示される。この場合、画像処理及び画像表示部の処理化処理３０１で使用する計測表示用座標変換補正データ２０５は、半球面スクリーン１０２への変換ではなく、円筒スクリーン１３０１への変換として生成することで可能になる。
【００５７】
図１４は更に他の実施形態に係わる全周マルチカメラ調整装置の概略図である。円錐型のスクリーン１４０１を適用した例で、計測表示用座標変換補正データ２０５は円錐型スクリーン１４０１への変換として生成することで可能になる。
【００５８】
図１３または図１４における計測表示用座標変換補正データ２０５は、一般的なコンピュータグラフィックス技術を上記（１）−（３）式に適用することにより容易に取得できる。
【００５９】
また、本発明は水平方向３６０度未満のマルチカメラシステムに対しても適用可能である。さらに、垂直方向に複数台のカメラを並べたマルチカメラシステムに対しても適用可能である。
【００６０】
【発明の効果】
本発明によれば、カメラの位置情報と色特性情報の計測時間を大幅に短縮でき、かつ計測誤差を大幅に軽減することが可能となる。これにより、高解像度化が進むマルチカメラシステムの調整を高速に実現できる。
【００６１】
また、計測に必要な設備自体をシンプルかつ小規模にできるので、従来専用の計測設備で固定的に実施していた調整作業を、マルチカメラシステムが用いられる場所で容易に実施でき、使い勝手がよくなる。
【図面の簡単な説明】
【図１】一実施形態による全周マルチカメラシステムの調整装置の基本構成図。
【図２】調整制御装置の構成を示すブロック図。
【図３】画像処理装置に設定する位置補正データを生成する処理フロー図。
【図４】画像処理装置に設定する色特性補正データを生成する処理フロー図。
【図５】平面の画像データ座標から半球面スクリーン座標への変換関係を示す説明図。
【図６】位置情報計測用画像データの一例を示す説明図。
【図７】理想視点から撮影した場合をシミュレーションした画像データの説明図。
【図８】実際のカメラで撮影した位置情報計測用画像データの一例を示す説明図。
【図９】カメラ座標を理想視点座標へ変換する位置補正データの一例を示す説明図。
【図１０】色特性情報計測用画像データの一例を示す説明図。
【図１１】カメラの色特性の一例を示す説明図。
【図１２】カメラに対する色特性補正データを示す説明図。
【図１３】他の実施形態で、円筒スクリーンを用いた調整装置の概略図。
【図１４】更に他の実施形態で、円錐型スクリーンを用いた調整装置の概略図。
【符号の説明】
１００…プロジェクタ、１０１…魚眼レンズ、１０２…半球面スクリーン、１０３…マルチカメラ部、１０４…映像ケーブル、１０５…画像処理装置、１０６…映像ケーブル、１０７…連続した全周映像の表示装置、１０８…全周マルチカメラシステム、１０９…調整制御装置、１１０…制御線、１１１…映像ケーブル、２００…通信制御部、２０１…ＣＰＵ及びメモリ部、２０２…画像処理及び画像表示部、２０３…バス、２０４…ストレージ部、２０５…計測表示用座標変換補正データ、２０６…理想視点カメラ撮影シミュレーションデータ、２０７…位置情報計測用画像データ（位置情報パターン）、２０８…位置情報計測用画像カメラ撮影データ、２０９…位置補正データ、２１０…色特性情報計測用画像カメラ撮影データ、２１１…色特性情報計測用画像データ（色情報パターン）、２１２…色特性補正データ、５２０…画像データ上での座標群、５２２…スクリーン上での座標群、６００…位置情報計測用画像データ（位置情報パターン）、７０３…画像データと輝度レベルの関係を示すグラフ、８００〜８０２…理想視点上に配置した場合の各カメラの撮影領域、８０３…理想視点、８０４…全周マルチカメラシステムを真上から見た配置図、８１０…理想視点から各カメラで撮影した場合をシミュレーションした画像データ（位置情報）、９００…カメラの実際の撮影領域、９０１…カメラの実際のレンズ中心、９０４…全周マルチカメラシステムを真上から見た配置図、９１０…カメラの撮影画像データ（位置情報）、１０１０…カメラ座標を理想視点座標へ変換する補正データデータフォーマット、１１００…カメラの色特性を示すグラフ、１２０３…色特性関数から目標とする色特性関数への補正値、１３０１…円筒スクリーン、１４０１…円錐型スクリーン。
【図１】
2005027154.tif 000003
【図２】
2005027154.tif 000004
【図３】
2005027154.tif 000005
【図４】
2005027154.tif 000006
【図５】
2005027154.tif 000007
【図６】
2005027154.tif 000008
【図７】
2005027154.tif 000009
【図８】
2005027154.tif 000010
【図９】
2005027154.tif 000011
【図１０】
2005027154.tif 000012
【図１１】
2005027154.tif 000013
【図１２】
2005027154.tif 000014
【図１３】
2005027154.tif 000015
【図１４】
2005027154.tif 000016